(57)【要約】【課題】コネクタが搭載されている回路基板と相手側コネクタが搭載されている相手側回路基板との間の嵌合状態における距離を小さくすることができるコネクタを提供すること。【解決手段】コネクタは、回路基板に搭載された搭載状態において、相手側回路基板に搭載された相手側コネクタと嵌合可能である。コネクタは、ハウジングと、規制部材と、コンタクトとを備えている。規制部材は、絶縁部と金属部とを有している。絶縁部は、金属部に支持されている。金属部は、ハウジングに固定されている。コンタクトは、ハウジングに下方から圧入されて保持されている。コンタクトは、接続部と弾性部とを有している。接続部は、搭載状態において回路基板の上面に固定される。弾性部は、下端部を有している。弾性部の下端部は、接続部の下方に位置し且つ絶縁部の真上に位置している。弾性部は、下方に向かって弾性変形可能である。【選択図】図１０
2015103518.tif 000002
【特許請求の範囲】
【請求項１】
回路基板に搭載された搭載状態において、上下方向に沿って相手側コネクタと嵌合可能なコネクタであって、前記相手側コネクタは、相手側回路基板に搭載されており、前記コネクタは、ハウジングと、規制部材と、コンタクトとを備えており、
前記規制部材は、絶縁体からなる絶縁部と金属からなる金属部とを有しており、前記絶縁部は、前記金属部に支持されており、前記金属部は、前記ハウジングに固定されており、
前記コンタクトは、前記ハウジングに下方から圧入されて保持されており、前記コンタクトは、接続部と弾性部とを有しており、前記接続部は、前記搭載状態において前記回路基板の上面に固定され、前記弾性部は、下端部を有しており、前記弾性部の前記下端部は、前記接続部の下方に位置し且つ前記規制部材の前記絶縁部の真上に位置しており、前記弾性部は、下方に向かって弾性変形可能である
コネクタ。
【請求項２】
請求項１記載のコネクタであって、
前記弾性部の前記下端部は、下方に移動可能であり、
前記弾性部が下方に向かって最大限に弾性変形したとき、前記弾性部の前記下端部は、前記絶縁部と接触する
コネクタ。
【請求項３】
請求項１又は請求項２記載のコネクタであって、
前記金属部は、被固定部を有しており、
前記被固定部は、前記ハウジングに圧入されて固定されている
コネクタ。
【請求項４】
請求項１乃至請求項３のいずれかに記載のコネクタであって、
前記絶縁部は、平板形状を有しており、
前記金属部は、本体部を有しており、
前記本体部は、前記上下方向と交差する平板形状を有しており、
前記絶縁部は、前記本体部の上に固定されている
コネクタ。
【請求項５】
請求項４記載のコネクタであって、
前記絶縁部と前記本体部とは、インサート成型により一体形成されている
コネクタ。
【請求項６】
請求項５記載のコネクタであって、
前記絶縁部の所定部は、前記本体部を前記上下方向に貫通しており、
前記絶縁部の前記所定部の下面は、前記本体部の下面と面一になっている
コネクタ。
【請求項７】
請求項４記載のコネクタであって、
前記絶縁部は、前記本体部の上面に固定された絶縁テープである
コネクタ。
【請求項８】
請求項１乃至請求項７のいずれかに記載のコネクタであって、
前記金属部は、被取付部を有しており、
前記被取付部は、前記搭載状態において直接的または間接的に前記回路基板に固定される
コネクタ。
【請求項９】
請求項８記載のコネクタであって、
前記本体部は、前記ハウジングを下方からシールドしている
コネクタ。
【請求項１０】
請求項８又は請求項９記載のコネクタであって、
前記被取付部は、前記搭載状態において前記回路基板の前記上面に直接的に固定される
コネクタ。
【請求項１１】
請求項８又は請求項９記載のコネクタであって、
前記コネクタは、ホールドダウンを備えており、
前記ホールドダウンは、前記ハウジングに保持されており、
前記被取付部は、前記ホールドダウンに取り付けられており、
前記被取付部は、前記搭載状態において前記ホールドダウンを経由して前記回路基板の前記上面に間接的に固定される
コネクタ。
【請求項１２】
請求項１乃至請求項１１のいずれかに記載のコネクタであって、
前記コンタクトは、１枚の金属板を切り抜き折り曲げて形成されている
コネクタ。
【請求項１３】
請求項１乃至請求項１２のいずれかに記載のコネクタであって、
前記相手側回路基板は、ＦＰＣ（Flexible Printed Circuit）である
コネクタ。
【発明の詳細な説明】
【技術分野】
【０００１】
本発明は、回路基板に搭載されるコネクタであって、相手側回路基板に搭載された相手側コネクタと嵌合可能なコネクタに関する。
【背景技術】
【０００２】
このタイプのコネクタは、例えば、特許文献１に開示されている。当該公報の内容は参照することにより本明細書の一部をなす。
【０００３】
図１７に示されるように、特許文献１のソケット（コネクタ）は、第２のプリント配線板（回路基板）に搭載されている。コネクタは、第１のプリント配線板（相手側回路基板）に搭載されたヘッダ（相手側コネクタ）と、上下方向に沿って嵌合可能である。コネクタは、ソケットコンタクト（コンタクト）を備えており、相手側コネクタは、ヘッダコンタクト（相手側コンタクト）を備えている。コンタクトは、コネクタに下方から取付られ、コンタクトの一部（弾性部）は、回路基板の真上に位置している。コネクタと相手側コネクタとが互いに嵌合した嵌合状態において、コンタクトの弾性部は、相手側コンタクトから押されて下方に移動しつつ相手側コンタクトと接触する。回路基板は、弾性部の下方への過度な移動を防止する。
【先行技術文献】
【特許文献】
【０００４】
【特許文献１】特開２００９−５９６２０号公報
【発明の概要】
【発明が解決しようとする課題】
【０００５】
特許文献１の回路基板と相手側回路基板とは、嵌合状態において、上下方向に距離（Ｄ）だけ互いから離れている。コネクタが携帯電話のような小さな電子機器の内部に組み込まれる場合、距離Ｄは可能な限り小さいことが望ましい。
【０００６】
そこで、本発明は、コネクタが搭載されている回路基板と相手側コネクタが搭載されている相手側回路基板との間の嵌合状態における距離を小さくすることができるコネクタを提供することを目的とする。
【課題を解決するための手段】
【０００７】
コネクタの大部分を回路基板の上面よりも下に位置させた場合、嵌合状態における回路基板と相手側回路基板との間の距離を小さくすることができる。具体的には、回路基板にコネクタを受容する受容部を形成すればよい。しかしながら、受容部が回路基板を貫通する孔である場合、コンタクトの弾性部は孔を通って過度に下方に移動し破損するおそれがある。受容部が回路基板の上面から凹む凹みである場合、回路基板に、受容部の下に位置する薄い部位が形成される。このため、弾性部が下方に移動した際、回路基板の薄い部位が弾性部に押圧されて破損するおそれがある。
【０００８】
本発明によれば、上述の問題を解消しつつ、嵌合状態における回路基板と相手側回路基板との間の距離を小さくすることができる。
【０００９】
本発明は、第１のコネクタとして、
回路基板に搭載された搭載状態において、上下方向に沿って相手側コネクタと嵌合可能なコネクタであって、前記相手側コネクタは、相手側回路基板に搭載されており、前記コネクタは、ハウジングと、規制部材と、コンタクトとを備えており、
前記規制部材は、絶縁体からなる絶縁部と金属からなる金属部とを有しており、前記絶縁部は、前記金属部に支持されており、前記金属部は、前記ハウジングに固定されており、
前記コンタクトは、前記ハウジングに下方から圧入されて保持されており、前記コンタクトは、接続部と弾性部とを有しており、前記接続部は、前記搭載状態において前記回路基板の上面に固定され、前記弾性部は、下端部を有しており、前記弾性部の前記下端部は、前記接続部の下方に位置し且つ前記規制部材の前記絶縁部の真上に位置しており、前記弾性部は、下方に向かって弾性変形可能である
コネクタを提供する。
【００１０】
また、本発明は、第２のコネクタとして、第１のコネクタであって、
前記弾性部の前記下端部は、下方に移動可能であり、
前記弾性部が下方に向かって最大限に弾性変形したとき、前記弾性部の前記下端部は、前記絶縁部と接触する
コネクタを提供する。
【００１１】
また、本発明は、第３のコネクタとして、第１又は第２のコネクタであって、
前記金属部は、被固定部を有しており、
前記被固定部は、前記ハウジングに圧入されて固定されている
コネクタを提供する。
【００１２】
また、本発明は、第４のコネクタとして、第１乃至第３のいずれかのコネクタであって、
前記絶縁部は、平板形状を有しており、
前記金属部は、本体部を有しており、
前記本体部は、前記上下方向と交差する平板形状を有しており、
前記絶縁部は、前記本体部の上に固定されている
コネクタを提供する。
【００１３】
また、本発明は、第５のコネクタとして、第４のコネクタであって、
前記絶縁部と前記本体部とは、インサート成型により一体形成されている
コネクタを提供する。
【００１４】
また、本発明は、第６のコネクタとして、第５のコネクタであって、
前記絶縁部の所定部は、前記本体部を前記上下方向に貫通しており、
前記絶縁部の前記所定部の下面は、前記本体部の下面と面一になっている
コネクタを提供する。
【００１５】
また、本発明は、第７のコネクタとして、第４のコネクタであって、
前記絶縁部は、前記本体部の上面に固定された絶縁テープである
コネクタを提供する。
【００１６】
また、本発明は、第８のコネクタとして、第１乃至第７のいずれかのコネクタであって、
前記金属部は、被取付部を有しており、
前記被取付部は、前記搭載状態において直接的または間接的に前記回路基板に固定される
コネクタを提供する。
【００１７】
また、本発明は、第９のコネクタとして、第８のコネクタであって、
前記本体部は、前記ハウジングを下方からシールドしている
コネクタを提供する。
【００１８】
また、本発明は、第１０のコネクタとして、第８又は第９のコネクタであって、
前記被取付部は、前記搭載状態において前記回路基板の前記上面に直接的に固定される
コネクタを提供する。
【００１９】
また、本発明は、第１１のコネクタとして、第８又は第９のコネクタであって、
前記コネクタは、ホールドダウンを備えており、
前記ホールドダウンは、前記ハウジングに保持されており、
前記被取付部は、前記ホールドダウンに取り付けられており、
前記被取付部は、前記搭載状態において前記ホールドダウンを経由して前記回路基板の前記上面に間接的に固定される
コネクタを提供する。
【００２０】
また、本発明は、第１２のコネクタとして、第１乃至第１１のいずれかのコネクタであって、
前記コンタクトは、１枚の金属板を切り抜き折り曲げて形成されている
コネクタを提供する。
【００２１】
また、本発明は、第１３のコネクタとして、第１乃至第１２のいずれかのコネクタであって、
前記相手側回路基板は、ＦＰＣ（Flexible Printed Circuit）である
コネクタを提供する。
【００２２】
また、本発明は、第１４のコネクタとして、
回路基板に搭載された搭載状態において、上下方向に沿って相手側コネクタと嵌合可能なコネクタであって、前記相手側コネクタは、相手側回路基板に搭載されており、前記コネクタは、ハウジングと、規制部材と、コンタクトとを備えており、
前記規制部材は、絶縁体からなる絶縁部と金属からなる金属部とを有しており、前記絶縁部は、前記金属部に支持されており、前記金属部は、被取付部を有しており、前記被取付部は、前記搭載状態において直接的または間接的に前記回路基板に固定され、
前記コンタクトは、前記ハウジングに下方から圧入されて保持されており、前記コンタクトは、接続部と弾性部とを有しており、前記接続部は、前記搭載状態において前記回路基板の上面に固定され、前記弾性部は、下端部を有しており、前記弾性部の前記下端部は、前記接続部の下方に位置し且つ前記規制部材の前記絶縁部の真上に位置しており、前記弾性部は、下方に向かって弾性変形可能である
コネクタを提供する。
【発明の効果】
【００２３】
本発明によれば、コンタクトの接続部は、コネクタが搭載される回路基板の上面に固定され、コンタクトの弾性部の下端部は、接続部の下方に位置する。この構造により、コネクタの大部分を、回路基板の上面の下方に配置できる。また、コンタクトの弾性部の下端部は、規制部材の絶縁部の真上に位置している。これにより、弾性部や回路基板の破損を防止しつつ、回路基板と相手側回路基板との間の嵌合状態における距離を小さくできる。
【図面の簡単な説明】
【００２４】
【図１】本発明の実施の形態によるコネクタを、回路基板に搭載された搭載状態で示す斜視図である。
【図２】図１の回路基板を示す斜視図である。
【図３】図１のコネクタを、回路基板に搭載されていない状態で示す斜視図である。
【図４】図３のコネクタのハウジングを示す斜視図である。
【図５】図３のコネクタのコンタクトを示す斜視図である。
【図６】図３のコネクタを示す側面図である。ここで、コネクタの一部（破線で囲んだ部分）を拡大して描画している。
【図７】図３のコネクタの規制部材を示す斜視図である。
【図８】図３のコネクタを下方から示す分解斜視図である。
【図９】図６のコネクタをＩＸ−ＩＸ線に沿って示す断面図である。ここで、搭載状態における回路基板の輪郭を破線で描画している。
【図１０】図１のコネクタと、相手側回路基板に搭載された相手側コネクタとを示す断面図である。ここで、コネクタと相手側コネクタとは、互いに嵌合している。また、相手側回路基板の搭載面を破線で描画している。
【図１１】図７の規制部材の変形例を示す斜視図である。
【図１２】図３のコネクタの変形例を示す斜視図である。
【図１３】図１２のコネクタを示す側面図である。
【図１４】図１３のコネクタをＸＩＶ−ＸＩＶ線に沿って示す断面図である。ここで、搭載状態における回路基板の輪郭を破線で描画している。
【図１５】図１２のコネクタの規制部材を示す斜視図である。
【図１６】図１２のコネクタのハウジングとホールドダウンとを示す斜視図である。ここで、ハウジングにはコンタクトが取り付けられている一方、ホールドダウンが取り付けられていない。
【図１７】特許文献１のコネクタと相手側コネクタとを示す断面図である。
【発明を実施するための形態】
【００２５】
図１、図９及び図１０に示されるように、本発明の実施の形態によるコネクタ１０は、基板対基板用コネクタである。詳しくは、コネクタ１０は、回路基板７００に搭載された搭載状態において、上下方向（Ｚ方向）に沿って相手側コネクタ８０と嵌合可能である。
【００２６】
図１０から理解されるように、相手側コネクタ８０は、使用時に相手側回路基板８８０に搭載される。コネクタ１０と相手側コネクタ８０とは、回路基板７００の搭載面（上面）７０２と相手側回路基板８８０の搭載面８８４とが互いに向かい合った状態で、互いに嵌合する。本実施の形態による相手側回路基板８８０は、ＦＰＣ（Flexible Printed Circuit）である。但し、相手側回路基板８８０は、ＦＰＣでなくてもよい。
【００２７】
図１０に示されるように、相手側コネクタ８０は、絶縁体からなる相手側ハウジング８００と、導電体からなる複数の相手側コンタクト８５０とを備えている。相手側コンタクト８５０は、相手側回路基板８８０の導電パターン（図示せず）に夫々接続される。
【００２８】
図１及び図２に示されるように、回路基板７００には、受容部７１０が形成されている。コネクタ１０は、搭載状態において受容部７１０に受容されている。本実施の形態による受容部７１０は、回路基板７００をＺ方向に貫通する孔である。但し、受容部７１０は、コネクタ１０を十分に受容できる限り、回路基板７００の上面７０２から下方に（−Ｚ方向に）凹んだ凹みであってもよい。
【００２９】
回路基板７００の上面７０２には、複数の導電パッド７０６が設けられている。導電パッド７０６は、受容部７１０を幅方向（Ｘ方向）に挟む２列に配置されている。
【００３０】
図３及び図８に示されるように、コネクタ１０は、絶縁体からなるハウジング２００と、規制部材３００と、導電体からなる複数のコンタクト４００とを備えている。
【００３１】
図３、図４、図９及び図１０に示されるように、ハウジング２００には、収容部２１０が形成されている。収容部２１０は、コネクタ１０と相手側コネクタ８０とが互いに嵌合した嵌合状態において、相手側コネクタ８０の一部を収容する。
【００３２】
図４及び図８に示されるように、ハウジング２００は、２つの外壁部２２０と、２つの連結壁２３０と、底部２４０と、突出部２５０とを有している。外壁部２２０及び連結壁２３０は、ＸＹ平面において収容部２１０を囲んでいる。詳しくは、外壁部２２０は、ピッチ方向（Ｙ方向）に長く延びている。連結壁２３０は、ハウジング２００のＹ方向における両端部に夫々位置している。連結壁２３０の夫々は、外壁部２２０のＹ方向における端部を幅方向（Ｘ方向）に連結している。底部２４０は、ハウジング２００の下端（−Ｚ側の端）の近傍に位置している。底部２４０には、コンタクト４００と夫々対応する複数の取付孔２４２が形成されている。突出部２５０は、ハウジング２００のＸ方向における中間部に設けられている。突出部２５０は、ＸＹ平面において収容部２１０に囲まれている。突出部２５０は、Ｙ方向に長く延びつつ、底部２４０から上方に（＋Ｚ方向に）突出している。
【００３３】
図３、図４及び図９に示されるように、外壁部２２０の夫々には、受止壁２２２が形成されている。受止壁２２２は、外壁部２２０の上端部（＋Ｚ側の端部）に位置している。受止壁２２２は、Ｘ方向外側に張出しつつ、Ｙ方向に長く延びている。また、外壁部２２０の夫々には、コンタクト４００と夫々対応する複数の保持部２２４が形成されている。突出部２５０には、コンタクト４００と夫々対応する複数の溝部２５２が形成されている。溝部２５２は、突出部２５０のＸ方向における両側に設けられている。保持部２２４と溝部２５２とは、収容部２１０を挟んでＸ方向に対向している。
【００３４】
図８から理解されるように、コンタクト４００は、下方から底部２４０の取付孔２４２を通ってハウジング２００に取り付けられている。コンタクト４００は、Ｙ方向に延びる２列に配置されている。
【００３５】
図５に示されるように、コンタクト４００は、接続部４１０と、被受止部４１４と、被保持部４２０と、弾性部４３０とを有している。接続部４１０は、Ｘ方向に延びている。被受止部４１４は、接続部４１０からＸ方向内側に延びた後、下方に延びている。被保持部４２０は、被受止部４１４から上方に延びている。即ち、被受止部４１４は、接続部４１０と被保持部４２０とを互いに連結している。弾性部４３０は、被保持部４２０からＸ方向内側に延びている。弾性部４３０は、Ｕ字形状を有している。詳しくは、弾性部４３０は、下端部４３２と、第１接触部（接触部）４３４と、第２接触部（接触部）４３６とを有している。第１接触部４３４及び第２接触部４３６は、概ねＺ方向に延びている。下端部４３２は、第１接触部４３４の下端と、第２接触部４３６の下端とをＸ方向において連結している。
【００３６】
図３及び図９に示されるように、コンタクト４００の被保持部４２０は、ハウジング２００の保持部２２４に圧入されて保持されている。被受止部４１４は、受止壁２２２の下に位置している。接続部４１０は、被受止部４１４からＸ方向外側に延びて、ハウジング２００の外部に突出している。接続部４１０は、搭載状態において、回路基板７００の上面７０２の導電パッド７０６（図１参照）に半田付け等により固定され、回路基板７００の導電パターン（図示せず）に接続される。
【００３７】
図９に示されるように、第１接触部４３４は、収容部２１０内に部分的に突出しつつ、被保持部４２０から下方に延びている。下端部４３２は、第１接触部４３４の下端から突出部２５０の溝部２５２までＸ方向内側に延びている。第２接触部４３６は、下端部４３２から溝部２５２を通過して上方に延び、収容部２１０内に部分的に突出している。下端部４３２は、接続部４１０の下方に位置している。即ち、下端部４３２は、搭載状態において、回路基板７００の上面７０２の下方に位置している。弾性部４３０は、被保持部４２０に弾性変形可能に支持されている。特に、弾性部４３０は、下方に向かって弾性変形可能である。このため、下端部４３２は、下方に移動可能である。
【００３８】
図１０から理解されるように、コネクタ１０が相手側コネクタ８０と嵌合する際、第１接触部４３４及び第２接触部４３６は、相手側コンタクト８５０から下方に押されつつ相手側コンタクト８５０と接触する。詳しくは、第１接触部４３４及び第２接触部４３６の夫々の一部である接触領域が、相手側コンタクト８５０と接触する。本実施の形態によるコンタクト４００は、１枚の金属板を切り抜き折り曲げて形成されている。このため、接触領域は、広い面積を有している。このように構成されたコンタクト４００は、相手側コンタクト８５０と確実に接触することができる。
【００３９】
搭載状態において、コネクタ１０の大部分が回路基板７００の受容部７１０の内部に受容されており、上面７０２の下方に位置している。換言すれば、コネクタ１０は、搭載状態において上面７０２から上方に殆ど突出していない。このため、嵌合状態において、回路基板７００の上面７０２と相手側回路基板８８０の搭載面８８４との間のＺ方向における距離（Ｄ）は小さい。詳しくは、嵌合状態において、ハウジング２００の下端と相手側回路基板８８０の搭載面８８４とは、Ｚ方向において距離（Ｄ０）だけ離れている。仮にコネクタ１０が従来のコネクタのように回路基板７００の上面７０２の上に搭載される場合、回路基板７００の上面７０２と相手側回路基板８８０の搭載面８８４とは、距離（Ｄ０）だけ離れる。本実施の形態による距離（Ｄ）は、距離（Ｄ０）の半分未満である。
【００４０】
本実施の形態によれば、コンタクト４００の被保持部４２０は、ハウジング２００の保持部２２４に下方から圧入されて保持されている。また、コンタクト４００の上方への移動は、受止壁２２２によって防止されている。詳しくは、コンタクト４００が上方に少し移動すると、コンタクト４００の被受止部４１４が受止壁２２２によって受け止められる。このため、相手側コネクタ８０を上方に抜去する際、コンタクト４００は、ハウジング２００から抜け出ない。
【００４１】
図７及び図８に示されるように、規制部材３００は、樹脂やゴム等の絶縁体からなる絶縁部３１０と、金属からなる金属部３４０とを有している。本実施の形態による金属部３４０は、本体部３５０と、複数の（本実施の形態によれば、１０個の）第１被固定部（被固定部）３６０と、２つの第２被固定部（被固定部）３７０と、４つの被取付部３８０とを有している。
【００４２】
本実施の形態によれば、絶縁部３１０及び本体部３５０の夫々は、Ｚ方向と直交する平板形状を有している。即ち、本体部３５０は、Ｚ方向と直交する上面３５２及び下面３５４を有している。但し、絶縁部３１０及び本体部３５０の夫々は、Ｚ方向と多少斜交していてもよい。換言すれば、絶縁部３１０及び本体部３５０の夫々は、Ｚ方向と交差していればよい。
【００４３】
図７乃至図９から理解されるように、絶縁部３１０は、本体部３５０の上に固定されている。但し、絶縁部３１０が本体部３５０に支持されている限り、絶縁部３１０は、本体部３５０に固定されていなくてもよい。本実施の形態によれば、絶縁部３１０と本体部３５０とは、インサート成型により一体形成されており、絶縁部３１０には５つの所定部３１６が形成されている。所定部３１６の夫々は、本体部３５０をＺ方向に貫通しており、これにより絶縁部３１０は、本体部３５０に強固に固定されている。所定部３１６の下面３１８は、本体部３５０の下面３５４と面一になっている。換言すれば、本体部３５０の下面３５４は、絶縁部３１０によって覆われていない。このため、規制部材３００の厚さは比較的小さい。
【００４４】
図７に示されるように、第１被固定部３６０は、本体部３５０のＸ方向における側部の夫々に５つずつ設けられており、第２被固定部３７０は、本体部３５０のＹ方向における端部の夫々に１つずつ設けられている。また、被取付部３８０は、本体部３５０のＸ方向における側部の夫々に２つずつ設けられている。被取付部３８０は、第１被固定部３６０の近傍に位置している。第１被固定部３６０及び第２被固定部３７０は、本体部３５０から上方に突出している。被取付部３８０は、本体部３５０から上方に突出した後、Ｘ方向外側に延びている。
【００４５】
図３及び図６に示されるように、金属部３４０の第１被固定部３６０及び第２被固定部３７０は、ハウジング２００に圧入されて固定されている。被取付部３８０は、ハウジング２００の外壁部２２０をＸ方向に挟んでいる。即ち、金属部３４０は、ハウジング２００に固定されている。詳しくは、ハウジング２００の外壁部２２０には、第１被固定部３６０と夫々対応する複数の第１固定部（固定部）２２６が形成されている。また、連結壁２３０の夫々には、第２被固定部３７０と対応する第２固定部（固定部）２３６が形成されている。第１被固定部３６０は第１固定部２２６に下方から夫々圧入されており、第２被固定部３７０は第２固定部２３６に下方から夫々圧入されている。但し、金属部３４０は、これと異なるようにハウジング２００に固定されていてもよい。例えば、第１被固定部３６０及び第２被固定部３７０の夫々をハウジング２００の一部に引っかけてもよい。この場合、第１被固定部３６０及び第２被固定部３７０の夫々は、フック形状を有していればよい。
【００４６】
図９及び図１０に示されるように、弾性部４３０の下端部４３２は、規制部材３００の絶縁部３１０の真上に位置している。弾性部４３０が下方に向かって最大限に弾性変形したときでも、下端部４３２は、絶縁部３１０と接触する。このため、コンタクト４００がコネクタ１０の外部の導電体と意図せずに接触することを防止できる。また、コンタクト４００が相手側コンタクト８５０によって下方に押された際も、下端部４３２は、絶縁部３１０を超えて下方に移動しない。このため、下端部４３２の過度な移動による弾性部４３０の塑性変形、即ちコンタクト４００の破損を防止することができる。更に、絶縁部３１０は金属部３４０によって下方から支持され補強されている。このため、下端部４３２から加えられる押圧力による規制部材３００の破損を防止することができる。加えて、本体部３５０をＸＹ平面において囲む第１被固定部３６０及び第２被固定部３７０（図７参照）がハウジング２００に固定されていることから、金属部３４０は、ハウジング２００に強固に固定されている。このため、下端部４３２から加えられる押圧力は、規制部材３００によって受け止められ、回路基板７００に大きく影響しない。
【００４７】
図１に示されるように、本実施の形態によれば、規制部材３００の被取付部３８０は、搭載状態において回路基板７００の上面７０２に直接的に固定される。このため、下端部４３２から加えられる押圧力が大きい場合であっても、規制部材３００がハウジング２００から外れることが防止される。
【００４８】
図８及び図９から理解されるように、本実施の形態による金属部３４０の本体部３５０は、ハウジング２００を下方からシールドしている。また、搭載状態において、金属部３４０の被取付部３８０は、回路基板７００の上面７０２の導電パッド７０６に半田付け等によって固定され、回路基板７００のグランドパターン（図示せず）に接地される。このため、金属部３４０は、コネクタ１０を下方から電磁的にシールドしている。換言すれば、本実施の形態による金属部３４０は、ＥＭＩ（Electromagnetic interference）を防止することができる。
【００４９】
図８から理解されるように、本実施の形態によれば、規制部材３００はハウジング２００の底部２４０の取付孔２４２を完全に覆っている。このため、受容部７１０が回路基板７００を貫通していても（図２参照）、コネクタ１０の内部へのコーティング剤やゴミの侵入を防止することができる。但し、規制部材３００がコンタクト４００の下端部４３２の下方への移動を規制すれば十分である場合、規制部材３００は、これと異なるように構成されていてもよい。例えば、金属部３４０の本体部３５０は、絶縁部３１０を補強できる限り、櫛歯形状や網形状に形成されていてもよい。絶縁部３１０は、下端部４３２の直下のみに形成されていてもよい。更に、絶縁部３１０は、コンタクト４００の短絡を防止できる限り、例えば薄い絶縁コーティングであってもよい。
【００５０】
本実施の形態によるコネクタ１０は、既に述べた変形例に加えて様々に変形することができる。
【００５１】
図１１に示されるように、変形例による規制部材３００Ａは、本実施の形態による絶縁部３１０（図７参照）と少し異なる絶縁部３１０Ａと、本実施の形態と同じ金属部３４０とを有している。絶縁部３１０Ａは、絶縁部３１０と同様に、平板形状を有しており、本体部３５０の上に固定されている。但し、絶縁部３１０Ａは、絶縁部３１０と異なり、本体部３５０の上面３５２に固定された絶縁テープである。詳しくは、絶縁部３１０Ａは、上面３５２に粘着又は接着されている。このように構成された規制部材３００Ａによっても、本実施の形態と同様な効果を得ることができる。
【００５２】
図１２に示されるように、変形例によるコネクタ１０Ｂは、絶縁体からなるハウジング２００Ｂと、規制部材３００Ｂと、本実施の形態と同じ複数のコンタクト４００と、２つのホールドダウン５００とを備えている。
【００５３】
図１２及び図１６に示されるように、ハウジング２００Ｂは、連結壁２３０（図４参照）と少し異なる連結壁２３０Ｂを有していることを除き、ハウジング２００と同様に構成されている。詳しくは、連結壁２３０Ｂの夫々には、第２固定部２３６ではなく２つの取付部２３８Ｂが形成されている。取付部２３８Ｂは、連結壁２３０ＢのＸ方向における両側に夫々設けられている。
【００５４】
ホールドダウン５００は、取付部２３８Ｂに上方から圧入されて取り付けられている。即ち、ホールドダウン５００は、ハウジング２００Ｂに固定されて保持されている。ホールドダウン５００の夫々には、２つの取付部５１０が設けられている。本変形例による取付部５１０は、Ｘ方向外側に突出する突起である。取付部５１０は、ハウジング２００Ｂの連結壁２３０ＢをＸ方向において挟んでいる。
【００５５】
図１５に示されるように、規制部材３００Ｂは、本実施の形態と同じ絶縁部３１０と、本実施の形態による金属部３４０（図７参照）と少し異なる金属部３４０Ｂとを有している。詳しくは、金属部３４０Ｂは、金属部３４０と同じ本体部３５０及び第１被固定部３６０を有している一方、第２被固定部３７０を有していない。また、金属部３４０Ｂは、被取付部３８０に代えて被取付部３８０Ｂを有している。本変形例による被取付部３８０Ｂの夫々には、被取付部３８０ＢをＸ方向に貫通する孔が形成されている。
【００５６】
図１３及び図１４に示されるように、被取付部３８０Ｂは、ホールドダウン５００に取り付けられている。本変形例によれば、被取付部３８０Ｂの孔とホールドダウン５００の取付部５１０の突起とが係合している。但し、被取付部３８０Ｂがホールドダウン５００に確実に保持されている限り、被取付部３８０Ｂは、これと異なるようにホールドダウン５００に取り付けられていてもよい。
【００５７】
ホールドダウン５００は、搭載状態において、回路基板７００の上面７０２の導電パッド７０６（図２参照）に半田付け等によって固定され、回路基板７００のグランドパターン（図示せず）に接地される。即ち、金属部３４０Ｂの被取付部３８０Ｂは、搭載状態においてホールドダウン５００を経由して回路基板７００の上面７０２に間接的に固定される。このように構成された金属部３４０Ｂによっても、本実施の形態の金属部３４０（図７参照）と同様な効果を得ることができる。例えば、変形例による金属部３４０Ｂは、ＥＭＩを防止することができる。以上の説明から理解されるように、被取付部３８０Ｂは、搭載状態において直接的または間接的に回路基板７００に固定されていればよい。
【符号の説明】
【００５８】
１０，１０Ｂ                コネクタ
２００，２００Ｂ            ハウジング
２１０                      収容部
２２０                      外壁部
２２２                      受止壁
２２４                      保持部
２２６                      第１固定部（固定部）
２３０，２３０Ｂ            連結壁
２３６                      第２固定部（固定部）
２３８Ｂ                    取付部
２４０                      底部
２４２                      取付孔
２５０                      突出部
２５２                      溝部
３００，３００Ａ，３００Ｂ  規制部材
３１０，３１０Ａ            絶縁部
３１６                      所定部
３１８                      下面
３４０，３４０Ｂ            金属部
３５０                      本体部
３５２                      上面
３５４                      下面
３６０                      第１被固定部（被固定部）
３７０                      第２被固定部（被固定部）
３８０，３８０Ｂ            被取付部
４００                      コンタクト
４１０                      接続部
４１４                      被受止部
４２０                      被保持部
４３０                      弾性部
４３２                      下端部
４３４                      第１接触部（接触部）
４３６                      第２接触部（接触部）
５００                      ホールドダウン
５１０                      取付部
７００                      回路基板
７０２                      搭載面（上面）
７０６                      導電パッド
７１０                      受容部
８０                        相手側コネクタ
８００                      相手側ハウジング
８５０                      相手側コンタクト
８８０                      相手側回路基板
８８４                      搭載面
【図１】
2015103518.tif 000003
【図２】
2015103518.tif 000004
【図３】
2015103518.tif 000005
【図４】
2015103518.tif 000006
【図５】
2015103518.tif 000007
【図６】
2015103518.tif 000008
【図７】
2015103518.tif 000009
【図８】
2015103518.tif 000010
【図９】
2015103518.tif 000011
【図１０】
2015103518.tif 000012
【図１１】
2015103518.tif 000013
【図１２】
2015103518.tif 000014
【図１３】
2015103518.tif 000015
【図１４】
2015103518.tif 000016
【図１５】
2015103518.tif 000017
【図１６】
2015103518.tif 000018
【図１７】
2015103518.tif 000019